(57)【特許請求の範囲】
【請求項１】
トラバース方向に移動可能にベッド上に保持されたトラバーススライドと、研削砥石を搭載し前記トラバース方向と交差する方向に移動可能に前記トラバーススライド上に保持された砥石台と、前記ベッドに対し固定的に設けられて上方に立ち上がる固定櫓と、トップ部とその両側より下方に延びる１対の脚部よりなりこの両脚部が前記砥石台の移動を妨げないように跨いで各脚部の下端部が前記トラバーススライドの両側部に固定された中継櫓と、前記固定櫓の上部と前記中継櫓のトップ部に両端部が取り付けられてＵ字状に屈曲され前記ベッドとトラバーススライドの間の相対移動に応じて前記屈曲の位置が変わる可撓性のケーブルベア（登録商標）を備え、前記砥石台に対する制御入力および動力供給等を行う配線および配管は前記ケーブルベア内を通してなる砥石台トラバース形研削盤において、前記１対の脚部の一方は前記中継櫓のトップ部と分離可能に結合し、前記１対の脚部の他方は前記中継櫓のトップ部または前記トラバーススライドの側部と分離可能に結合し、前記一方の脚部を前記トップ部から分離させるとともに、前記他方の脚部を前記中継櫓のトップ部または前記トラバーススライドの側部から分離させた状態では、前記トラバーススライドと砥石台は前記トップ部を前記固定櫓の上部の下側に残したまま同上部の下側から外れた位置に移動可能としたことを特徴とする砥石台トラバース形研削盤。
【請求項２】
請求項１に記載の砥石台トラバース形研削盤において、前記トップ部を前記固定櫓の上部の下側に残したまま前記トラバーススライドと砥石台を前記上部の下側から外れた位置に移動する際に移動方向において前側となる前記一方の脚部だけを前記中継櫓のトップ部に対し分離可能に結合したことを特徴とする砥石台トラバース形研削盤。
【請求項３】
請求項１または請求項２に記載の砥石台トラバース形研削盤において、前記一方の脚部を前記トップ部から分離させた状態で、前記トップ部を前記固定櫓の上部の下側に支持する着脱自在の支持金具を備えたことを特徴とする砥石台トラバース形研削盤。
【請求項４】
請求項１〜請求項３の何れか１項に記載の砥石台トラバース形研削盤において、前記中継櫓のトップ部と前記砥石台に両端部が取り付けられてＵ字状に屈曲され前記トラバーススライドと砥石台の間の相対移動に応じて前記屈曲の位置が変わる可撓性の第２ケーブルベアをさらに備え、前記砥石台に対する制御入力および動力供給等を行う配線および配管は前記第２ケーブルベア内を通したことを特徴とする砥石台トラバース形研削盤。
【発明の詳細な説明】
【０００１】
【発明の属する技術分野】
本発明は、点検または修理などの際における砥石台およびトラバーススライドの取外しおよび取付けを容易にした砥石台トラバース形研削盤に関する。
【０００２】
【従来の技術】
砥石台トラバース形研削盤においては、トラバーススライドがワークの回転軸線と平行なトラバース方向に移動可能にベッド上に案内支持され、研削砥石を搭載した砥石台はこのこのトラバーススライド上にトラバース方向と直交する切込み方向に進退可能に案内支持されている。ベッドに隣接して配置した電気制御装置および油気圧供給ユニットからは、可撓性の電気配線および油気圧配管を介してトラバーススライドおよび砥石台に搭載した送り装置、回転駆動装置、気圧制御機器等に対する制御入力および動力供給を行っており、この電気配線および油気圧配管はベッド側に固定されて上方に立ち上がる固定櫓と、トラバーススライドに支持された中継櫓と、この両者をつなぐ可撓性のケーブルベアにより保持されている。
【０００３】
中継櫓は、そのトップ部から下方に延びる１対の脚部が砥石台の移動を妨げないように跨いで各下端部がトラバーススライドの両側部に固定され、可撓性のケーブルベアは横向きＵ字状に屈曲されて両端部が固定櫓の上部と中継櫓のトップ部に取り付けられており、電気配線および油気圧配管は固定櫓の脚部からその上部に導かれ、この上部からケーブルベアの内部を通って中継櫓のトップ部内に導かれ、そこから砥石台およびトラバーススライド上に配置した送り装置、回転駆動装置、気圧制御機器等に導かれている。ケーブルベアおよびその内部を通る電気配線や油気圧配管は、Ｕ字状に屈曲された位置がロールして変わることにより、トラバーススライドの移動に対応するようになっている。
【０００４】
【発明が解決しようとする課題】
トラバーススライドや砥石台の点検・修理あるいは部品交換などの作業の際には、トラバーススライドや砥石台の上方に位置してそれらの作業の邪魔になる中継櫓、特にそのトップ部を、作業の邪魔にならない場所に移動させる必要がある。しかしながら上述した従来技術では、中継櫓のトップ部と両脚部は一体的に結合されて簡単に分離することができないので、中継櫓をトラバーススライドや砥石台の上方から邪魔にならない場所に移動させるには、両脚部の下端が砥石台の上端より高くなる位置まで持ち上げて、砥石台トラバース形研削盤から分離して取り外さなければならない。またそのためには、各電気配線や油気圧配管の先端部をトラバーススライドや砥石台上の送り装置、回転駆動装置、気圧制御機器等から取り外し、ケーブルベアと中継櫓の連結を取り外し、さらに各電気配線や油気圧配管を中継櫓およびこれに取り付けられた部分から引き抜かなければならない。
【０００５】
上述したように、前述した従来技術では中継櫓のトップ部をトラバーススライドや砥石台の上方から移動させるのに多くの手間を要するので、トラバーススライドや砥石台の点検・修理あるいは部品交換などに手間がかかるというという問題があった。本発明は、中継櫓のトップ部をトラバーススライドや砥石台の上方から迅速かつ容易に作業の邪魔にならない場所に移動できるようにして、このような各問題を解決することを目的とする。
【０００６】
【課題を解決するための手段】
このために、本発明による砥石台トラバース形研削盤は、トラバース方向に移動可能にベッド上に支持されたトラバーススライドと、研削砥石を搭載しトラバース方向と交差する方向に移動可能にトラバーススライド上に支持された砥石台と、ベッドに対し固定的に設けられて上方に立ち上がる固定櫓と、トップ部とその両側より下方に延びる１対の脚部よりなりこの両脚部が砥石台の移動を妨げないように跨いで各脚部の下端部がトラバーススライドの両側部に固定された中継櫓と、固定櫓の上部と中継櫓のトップ部に両端部が取り付けられてＵ字状に屈曲されベッドとトラバーススライドの間の相対移動に応じて屈曲の位置が変わる可撓性のケーブルベアを備え、砥石台に対する制御入力および動力供給等を行う配線および配管はケーブルベア内を通してなる砥石台トラバース形研削盤において、前記１対の脚部の一方は前記中継櫓のトップ部と分離可能に結合し、前記１対の脚部の他方は前記中継櫓のトップ部または前記トラバーススライドの側部と分離可能に結合し、前記一方の脚部を前記トップ部から分離させるとともに、前記他方の脚部を前記中継櫓のトップ部または前記トラバーススライドの側部から分離させた状態では、トラバーススライドと砥石台はトップ部を固定櫓の上部の下側に残したまま同上部の下側から外れた位置に移動可能としたことを特徴とするものである。
【０００７】
前項に記載の砥石台トラバース形研削盤は、トップ部を固定櫓の上部の下側に残したままトラバーススライドと砥石台を上部の下側から外れた位置に移動する際に移動方向において前側となる一方の脚部だけを中継櫓のトップ部に対し分離可能に結合することが好ましい。
【０００８】
前２項に記載の砥石台トラバース形研削盤は、一方の脚部をトップ部から分離させた状態で、トップ部を固定櫓の上部の下側に支持する着脱自在の支持金具を備えたものとすることが好ましい。
【０００９】
前３項に記載の砥石台トラバース形研削盤は、中継櫓のトップ部と砥石台に両端部が取り付けられてＵ字状に屈曲されトラバーススライドと砥石台の間の相対移動に応じて屈曲の位置が変わる可撓性の第２ケーブルベアをさらに備えたものとし、砥石台に対する制御入力および動力供給等を行う配線および配管は第２ケーブルベア内を通すことが好ましい。
【００１０】
【発明の作用および効果】
上述のように、本発明によれば、中継櫓のトップ部と少なくとも一方の脚部は分離可能に結合し、この一方の脚部をトップ部から分離させた状態では、トラバーススライドと砥石台はトップ部を固定櫓の上部の下側に残したまま同上部の下側から外れた位置に移動可能としたので、中継櫓を砥石台トラバース形研削盤から分離して取り外さなくてもトラバーススライドおよび砥石台の上方から相対的に移動させることができる。またこれに伴い、各電気配線や油気圧配管を中継櫓およびこれに取り付けた部分から引き抜く必要もなくなる。これにより中継櫓のトップ部をトラバーススライドおよび砥石台の上方から、トラバーススライドおよび砥石台の点検・修理あるいは部品交換などの作業の邪魔にならない場所に相対的に移動させるのに要する手間が減少するので、そのような作業を迅速かつ容易に行うことができ、点検・修理あるいは部品交換などに要する手間を減少させることができる。
【００１１】
トップ部を固定櫓の上部の下側に残したままトラバーススライドと砥石台を上部の下側から外れた位置に移動する際に移動方向において前側となる一方の脚部だけを中継櫓のトップ部に対し分離可能に結合するようにした砥石台トラバース形研削盤によれば、固定櫓の上部の下側から外れた位置に移動したトラバーススライドと砥石台の前側には脚部が残るが、後側の脚部は残らないので、その分だけ作業のためのスペースが増大する。従ってトラバーススライドおよび砥石台の点検・修理および部品交換などの作業はさらに容易となる。
【００１２】
一方の脚部をトップ部から分離させた状態で、トップ部を固定櫓の上部の下側に支持する着脱自在の支持金具を備えるようにした砥石台トラバース形研削盤によれば、固定櫓の上部の下側に残した中継櫓のトップ部２１支持を、固定櫓を利用してきわめて容易に行うことができる。
【００１３】
中継櫓のトップ部と砥石台に両端部が取り付けられてＵ字状に屈曲されトラバーススライドと砥石台の間の相対移動に応じて屈曲の位置が変わる可撓性の第２ケーブルベアをさらに備えたものとし、砥石台に対する制御入力および動力供給等を行う配線および配管は第２ケーブルベア内を通すようにした砥石台トラバース形研削盤によれば、各配線および配管は固定櫓の上部と中継櫓のトップ部の間だけでなく、中継櫓のトップ部と砥石台の間も保護される。
【００１４】
【発明の実施の形態】
以下に、図１〜図４に示す実施の形態により本発明の説明をする。この実施の形態の砥石台トラバース形研削盤は、ベッド１０上に移動可能に支持されたトラバーススライド１１と、このトラバーススライド１１上に移動可能に支持されて研削砥石１６が設けられた砥石台１５を備えている。砥石台１５を跨いでトラバーススライド１１に取り付けられた中継櫓２０のトップ部２１と、ベッド１０に固定されて上方に立ち上がる固定櫓２５の上部２５ａは、可撓性のケーブルベア３０により連結され、この固定櫓２５、中継櫓２０およびケーブルベア３０により、ベッド１０側からトラバーススライド１１および砥石台１５側に制御入力および動力供給を行う電気配線および油気圧配管は保持されている。
【００１５】
図１〜図３に示すように、ベッド１０上には主軸台１８と心押台１９が水平方向に互いに対向して設けられ、研削加工されるワークはこの主軸台１８と心押台１９により両端が支持されて回転される。またベッド１０上にはワークの回転軸線と平行なトラバース方向Ｘに移動可能にトラバーススライド１１が案内支持され、両端がベッド１０に軸承された送りねじ１２と、この送りねじ１２を回転駆動する送りモータ１３と、トラバーススライド１１に設けられて送りねじ１２とねじ係合するボールナット１１ａよりなるトラバース送り機構により往復動される。
【００１６】
トラバーススライド１１上にはトラバース方向Ｘと直交する水平な切込み方向Ｙに移動可能に砥石台１５が案内支持され、前述したトラバース送り機構と同様な切込み送り機構（図示省略）により進退動される。砥石台１５にはトラバース方向Ｘと平行な軸線回りに回転可能に研削砥石１６が支持されて砥石モータにより回転駆動され、またワーク側の一部を除き研削砥石１６を覆う砥石ガード１７が設けられている。
【００１７】
中継櫓２０は、周囲に開口が形成された箱状のトップ部２１と、その両側より下方に延びる１対の脚部２２ａ，２２ｂよりなり、図１および図２において左側となる第１脚部２２ａはトップ部２１と一体的に形成されているが、右側となる第２脚部２２ｂはトップ部２１の右側となる底面に連結ボルト２３を介して分離可能に取り付けられている。中継櫓２０は相当の隙間をおいて砥石台１５を跨ぐようにして、トラバース方向Ｘにおいて互いに対向するトラバーススライド１１の両側面に取付ボルト２４ａ，２４ｂにより固定され、これにより砥石台１５は切込み方向Ｙにおける正常な進退動が妨げられないようになっている。
【００１８】
固定櫓２５は、主軸台１８および心押台１９と反対側となるベッド１０の背面の中央付近に固定されて上方に立ち上がり、その上部２５ａは、図１および図２に示すように左側および前方に延びる水平な箱状で、トラバーススライド１１が左側に移動した状態ではそれに取り付けられた中継櫓２０のやや上方に位置している。長方形断面形状で可撓性の筒よりなる第１ケーブルベア（ケーブルベア）３０は、主として図１および図２に示すように、一端部が固定櫓２５の上部２５ａの底板の上面前部左側に固定されて先ず左方に延び、途中で下向きから右向きに曲げられて横向きＵ字状に屈曲され、他端部は中継櫓２０のトップ部２１の底板の上面左側に、左方に延びる支持部材３２を介して固定される。また長さが短い点を除き第１ケーブルベア３０と同じ構造の第２ケーブルベア３１は、図２および図３に示すように、一端部が中継櫓２０のトップ部２１の天井板の下面後部に固定されて先ず後方に延び、途中で下向きから前向きに曲げられてＵ字状に屈曲され、他端部は砥石台１５の上面に固定されている。
【００１９】
図３に示すように、固定櫓２５の上部２５ａには、中継櫓２０を支持するための支持金具３５，３６が取付可能である。ボルト３７ａにより固定櫓２５の上部２５ａの前面に取り付けられる一方の支持金具３５は、トップ部２１の前面に形成した開口の上縁に係合してこれを支持する引掛け部３５ａを有している。ボルト３７ｂにより固定櫓２５の上部２５ａの下面後部に取り付けられる他方の支持金具３６は、トップ部２１の後面に形成した開口の上縁に係合してこれを支持する引掛け部３５ａを有している。この両支持金具３５，３６は、後述するように中継櫓２０のトップ部２１を固定櫓２５の上部２５ａに支持する場合にのみ使用し、通常は使用しない。
【００２０】
ベッド１０に隣接して配置した電気制御装置および油気圧供給ユニットから、トラバーススライド１１および砥石台１５に搭載した送り装置、回転駆動装置、気圧制御機器等に対する制御入力および動力供給等を行う可撓性の電気配線および油気圧配管は、固定櫓２５の支柱部を通って上部２５ａに導かれ、この上部２５ａから第１ケーブルベア３０の内部を通って中継櫓２０のトップ部２１内に導かれる。そしてその一部はトラバーススライド１１上に配置した各機器に導かれ、残りの電気配線および油気圧配管は、第２ケーブルベア３１の内部を通って砥石台１５上に配置した各機器に導かれる。この砥石台トラバース形研削盤は、このようにして導かれた電気配線および油気圧配管を通して供給された制御入力および動力供給により作動され、この作動に伴い動かされる電気配線および油気圧配管は、第１ケーブルベア３０および第２ケーブルベア３１により保護される。
【００２１】
トラバース送り機構により、トラバーススライド１１およびこれに支持される中継櫓２０が、ベッド１０に対しトラバース方向Ｘに移動されれば、この両者１０，２０間の相対移動に応じて第１ケーブルベア３０およびその内部を通る電気配線および油気圧配管はＵ字状に屈曲された位置がロールして変わることにより、トラバーススライド１１の移動に対応し、無理を生じることはない。同様に切込み送り機構により、砥石台１５がトラバーススライド１１およびこれに支持される中継櫓２０に対し切込み方向Ｙに移動されても、第２ケーブルベア３１およびその内部を通る電気配線および油気圧配管はこの移動に対応し、無理を生じることはない。なお、切込み方向Ｙの移動量はトラバース方向Ｘの移動量に比して小さいので、第２ケーブルベア３１は省略することも可能である。
【００２２】
トラバーススライド１１や砥石台１５の点検・修理あるいは部品交換などの際には、図２の実線に示すように、トラバーススライド１１およびこれに支持された砥石台１５および中継櫓２０などを、トラバース送り機構により固定櫓２５の下側となる左側の位置に移動してから、各電気配線や油気圧配管の先端部をトラバーススライド１１や砥石台１５上の各機器から取り外し、砥石台１５に対する第２ケーブルベア３１の先端（他端）部の連結を取り外し、さらに各電気配線や油気圧配管の先端部を第２ケーブルベア３１の先端部とともに砥石台１５上から後ろに引き出して下方に垂らしておく。
【００２３】
次いで中継櫓２０の第１脚部２２ａの下端部をトラバーススライド１１に取り付けている取付ボルト２４ａおよびトップ部２１と第２脚部２２ｂを連結している連結ボルト２３を取り外し、これと同時に支持金具３５，３６を固定櫓２５の上部２５ａに取り付けて、各引掛け部３５ａ，３６ａによりトップ部２１および第１脚部２２ａを上部２５ａに支持させる。そしてトラバース送り機構を作動させて、図２の二点鎖線Ａおよび図４に示すように、固定櫓２５の上部２５ａに支持されたトップ部２１および第１脚部２２ａを上部２５ａの下側に残したまま、トラバーススライド１１およびこれに支持された砥石台１５を固定櫓２５の上部２５ａの下側から右方に外れた位置に移動させる。この状態ではトラバーススライド１１およびこれに支持された砥石台１５の上側から固定櫓２５の上部２５ａが移動されて上側が開放されるので、トラバーススライド１１および砥石台１５の点検・修理あるいは部品交換などの作業を容易に行うことができ、また必要に応じて砥石台１５および／またはトラバーススライド１１を矢印Ｚに示すように上方に取り外して、さらに詳細な点検・修理あるいは部品交換などを行うこともできる。
【００２４】
上述した実施の形態によれば、トラバーススライド１１およびこれに支持された砥石台１５を、点検・修理あるいは部品交換などの作業の邪魔にならないように上側が開放された状態とするのに、トラバーススライド１１から取り外したトップ部２１および第１脚部２２ａを固定櫓２５の上部２５ａの下側に支持させた状態で行うことができるので、中継櫓２０のトップ部２１を砥石台トラバース形研削盤から取り外す必要はなくなる。またこれに伴い、各電気配線や油気圧配管をトップ部２１内およびこれに取り付けられた第２ケーブルベア３１内から引き抜く必要もなくなる。従ってトラバーススライド１１およびこれに支持された砥石台１５をその上側が開放された状態とする準備作業に要する手間が減少するので、トラバーススライド１１および砥石台１５の点検・修理あるいは部品交換などに要する手間も全体として減少させることができる。
【００２５】
上述した実施の形態では第１脚部２２ａをトップ部２１とともにトラバーススライド１１から取り外すようにしており、このようにすればトラバーススライド１１および砥石台１５の右側には第２脚部２２ｂが残るが左側の第１脚部２２ａは残らないので、その分だけ作業のためのスペースが増大し、トラバーススライドおよび砥石台の点検・修理および部品交換などの作業はさらに容易となる。しかし本発明はこれに限られるものではなく、第１脚部２２ａも第２脚部２２ｂと同様、トップ部２１の底面に連結ボルトを介して分離可能に取り付け、トラバーススライド１１およびこれに支持された砥石台１５を固定櫓２５の上部２５ａの下側から右方に外れた位置に移動させた状態では両脚部２２ａ，２２ｂがトラバーススライド１１上に残るようにして実施してもよく、これによっても前述した各作用効果は得られる。
【００２６】
また上述した実施の形態では、トラバーススライド１１から取り外した中継櫓２０のトップ部２１および第１脚部２２ａを固定櫓２５の上部２５ａの下側に支持させており、これによれば、トラバーススライド１１から取り外したトップ部２１および第１脚部２２ａの支持をきわめて容易に行うことができる。しかしながら本発明はこれに限られるものではなく、トラバーススライド１１から取り外したトップ部２１および第１脚部２２ａの支持は、図３の二点鎖線に示すように、上方から吊り下げ支持したチェーンブロック等のフック３８にロープ３８ａを介して支持するようにしてもよい。
【００２７】
上述した実施の形態では、砥石台１５の移動方向（切込み方向Ｙ）とトラバーススライド１１の移動方向（トラバース方向Ｘ）とが直交する砥石台トラバース形研削盤について説明したが、本発明はこの両移動方向が直角以外の角度で交差する砥石台トラバース形研削盤にも適用することができる。
【図面の簡単な説明】
【図１】  本発明による砥石台トラバース形研削盤の一実施形態の全体構造を示す斜視図である。
【図２】  図１に示す実施形態の主軸台と心押台を除いた状態の正面図である。
【図３】  図２の主軸台と心押台を除く部分の左側面図である。
【図４】  図１に示す実施形態の中継櫓のトップ部を固定櫓の上部の下側に残して砥石台を移動した状態を示す斜視図である。
【符号の説明】
１０…ベッド、１１…トラバーススライド、１５…砥石台、１６…研削砥石、２０…中継櫓、２１…トップ部、２２ａ，２２ｂ…脚部、２５…固定櫓、２５ａ…上部、３０…ケーブルベア（第１ケーブルベア）、３１…第２ケーブルベア、３５，３６…支持金具、Ｘ…トラバース方向。
【図１】
0003750615.tif 000002
【図２】
0003750615.tif 000003
【図３】
0003750615.tif 000004
【図４】
0003750615.tif 000005